(57)【要約】【課題】妨害信号の有無に関わらず、受信品質信号を出力できるチューナ受信部およびこれを用いた高周波受信装置を提供する。【解決手段】第１、第２の利得制御電圧が入力されるとともに受信品質信号が出力される受信品質検出部と、前記受信品質信号が出力される第２の出力端子とを設ける。これにより、受信品質検出部では、妨害信号の有無に関わらず、受信品質信号を第２の出力端子から出力することができる。この受信品質信号を用いれば、画面に受信品質の表示を正確に行うことができる。また、受信品質の検出は、すべて第１、第２のＡＧＣ電圧を用いて行うので、瞬時に検出することが可能となる。このため、刻々と受信状況が変化する高速移動中であっても、受信条件の画面への表示をスムーズに行うことができる。【選択図】図１
2009135863.tif 000002
【特許請求の範囲】
【請求項１】
アンテナからの受信信号が入力端子を介して供給される第１の増幅器と、この第１の増幅器の出力信号が一方の入力に供給される第１の混合器と、この第１の混合器の他方の入力に供給される第１の発振器と、前記第１の混合器の出力信号が供給される第１のフィルタと、この第１のフィルタの出力が供給される第２の増幅器と、この第２の増幅器の出力信号が供給される復調部と、この復調部からの復調信号が出力される第１の出力端子と、前記第１の混合器からの出力信号が供給されるとともに第１の利得制御電圧により前記第１の増幅器を利得制御する第１の利得制御器と、前記復調部からの出力信号が供給されるとともに第２の利得制御電圧により前記第２の増幅器を利得制御する第２の利得制御器とを備え、前記第１、第２の利得制御電圧が入力されるとともに受信品質信号が出力される受信品質検出部と、前記受信品質信号が出力される第２の出力端子とが設けられたチューナ受信部。
【請求項２】
受信品質検出部は、第１、第２の利得制御電圧が入力されるとともに希望信号レベルに対して大きな妨害信号レベルを判定する妨害信号判定器と、前記第１、第２の利得制御電圧が入力されるとともに前記妨害信号判定器からの受信品質信号に基づいて第３の利得制御電圧を出力する希望信号検出器とを設け、希望信号のみあるいは妨害信号の受信品質への影響が小さい場合に前記第３の利得制御電圧は前記第１、第２の利得制御電圧を出力し、妨害信号による受信品質への影響が大きい場合に前記第３の利得制御電圧は前記第２の利得制御電圧を出力する請求項１に記載のチューナ受信部。
【請求項３】
妨害信号判定器は、第１の利得制御電圧の最大利得電圧とこの最大利得電圧に近接して設けられた最大利得判定電圧との間の最大利得制御範囲Ａと、第２の利得制御電圧の最小利得電圧とこの最小利得電圧に近接して設けられた最小利得判定電圧との間の最小利得制御範囲Ｂとを設け、前記妨害信号判定器は、前記第１の利得制御電圧が最大利得制御範囲Ａの範囲内にある場合、あるいは前記第２の利得制御電圧が最小利得制御範囲Ｂの範囲内にある場合に、妨害信号による受信品質への影響がないものと判定する請求項１に記載のチューナ受信部。
【請求項４】
妨害信号判定器に設けられた入力制御端子から制御データを入力することにより、最大利得判定電圧、最小利得判定電圧の少なくとも一方を可変できる請求項３に記載のチューナ受信部。
【請求項５】
第１、第２の利得制御器から出力される利得制御電圧がそれぞれのＤＡＣ（デジタルアナログコンバータ）によりデジタル信号とされ、これらデジタル信号がＩ２Ｃバスラインを用いて受信品質検出部に入力される請求項１に記載のチューナ受信部。
【請求項６】
第１の混合器をダイレクトコンバージョンとした請求項１に記載のチューナ受信部。
【請求項７】
第１の混合器をイメージリジェクションミキサとした請求項１に記載のチューナ受信部。
【請求項８】
入力端子と第１の増幅器との間に損失を可変できる減衰器を挿入し、この減衰器に設けられた利得制御用の利得制御入力に第１の利得制御器から出力された第１のＡＧＣ電圧が供給される請求項１に記載のチューナ受信部。
【請求項９】
復調部は、入力から出力に向かって順に、アナログ信号をデジタル信号に変換するＡ／Ｄコンバータと、妨害信号を抑圧するデジタルフィルタと、復調信号を出力する復調器が設けられ、前記デジタルフィルタの出力信号が第２の利得制御器に供給されている請求項１に記載のチューナ受信部。
【請求項１０】
第２の利得制御器への入力は、デジタルフィルタの出力信号の代わりに復調器への入力信号が供給される請求項９に記載のチューナ受信部。
【請求項１１】
第１のフィルタの出力と第２の増幅器の入力との間に第２の混合器を設けた請求項１に記載のチューナ受信部。
【請求項１２】
請求項１に記載のチューナ受信部を用いた高周波受信装置であって、復調部からの復調信号が供給されるデコーダ部と、このデコーダ部の出力が接続されるとともに映像、音声等を表示する表示部と、チューナ受信部、前記デコーダ部、表示部を制御するシステム制御部とが設けられ、受信品質検出部からの受信品質信号が前記表示部に表示される高周波受信装置。
【請求項１３】
受信品質検出部が、システム制御部の中に設けられた請求項１２に記載の高周波受信装置。
【発明の詳細な説明】
【技術分野】
【０００１】
本発明は、テレビ放送信号を受信した場合の受信品質信号を検出し、この受信品質信号を表示可能とした高周波受信装置に関するものである。
【背景技術】
【０００２】
以下、従来の高周波受信装置について説明する。図６に示すように、従来の高周波受信装置１は、チューナ受信部２と、このチューナ受信部２の出力に接続されたデコーダ部４、映像等を表示する表示部５と、これらを制御するシステム制御部７とで構成されていた。
【０００３】
チューナ受信部２では、アンテナ９で受信された信号が入力端子２ａを介して増幅器１１に供給される。この増幅器１１により利得制御された信号が、混合器１３の一方の入力に供給される。また、他方の入力には発振器１５の出力信号が供給される。この混合器１３からの周波数変換された出力信号は、増幅器１７で利得制御される。この増幅器１７からの出力信号は、復調部１９により復調され、出力端子２１から出力される。
【０００４】
そして、この出力端子２１からの復調信号は、デコーダ部４により復号化され、表示部５で映像、音声として出力される。
【０００５】
なお、この出願の発明に関連する先行技術文献情報としては、例えば、特許文献１が知られている。
【特許文献１】特開２００２−９４４０８号公報
【発明の開示】
【発明が解決しようとする課題】
【０００６】
従来の高周波受信装置１では、希望信号だけがアンテナ入力端子に入力されると、この希望信号レベルに応じて増幅器１１を利得制御する第１の利得制御電圧と、増幅器１７を利得制御する第２の利得制御電圧がそれぞれ変化する。この第１、第２の利得制御電圧は、希望信号レベルに応じて変化した。
【０００７】
しかしながら、希望信号とともに大きな妨害信号がアンテナ入力端子２ａに入力されると、この大きな妨害信号レベルにより増幅器１１を利得制御する第１の利得制御電圧が変化する。この増幅器１１では、妨害信号とともに希望信号も利得制御された。
【０００８】
このため、増幅器１１から出力される希望信号レベルは小さくなる。この小さい希望信号と、フィルタ１６で抑圧された妨害信号が入力される増幅器１７では、最大利得に近い状態で小さい希望信号が増幅されることになる。
【０００９】
このように、希望信号レベルに比べて妨害信号レベルが大きい場合には、増幅器１１を利得制御する第１の利得制御電圧は、希望信号レベルを正確に表すことができない、という問題があった。
【００１０】
すなわち、この増幅器１１から出力される希望信号レベルの大きさは、受信信号の品質を表すことができるものである。
【００１１】
そこで、本発明は、この問題を解決したもので、妨害信号の有無に関わらず、受信品質信号を出力できるチューナ受信部およびこれを用いた高周波受信装置を提供することを目的としたものである。
【課題を解決するための手段】
【００１２】
この目的を達成するために、第１、第２の利得制御電圧が入力されるとともに受信品質信号が出力される受信品質検出部と、前記受信品質信号が出力される第２の出力端子とを設ける。これにより、所期の目的を達成することが可能となる。
【発明の効果】
【００１３】
以上のように、第１、第２の利得制御電圧が入力されるとともに受信品質信号が出力される受信品質検出部と、前記受信品質信号が出力される第２の出力端子とを設ける。
【００１４】
これにより、受信品質検出部では、妨害信号の有無に関わらず、受信品質信号を第２の出力端子から出力することができる。この受信品質信号を用いれば、画面に受信品質の表示を正確に行うことができる。
【００１５】
また、受信品質の検出は、すべて第１、第２のＡＧＣ電圧を用いて行うので、瞬時に検出することが可能となる。このため、刻々と受信状況が変化する高速移動中であっても、受信条件の画面への表示をスムーズに行うことができる。
【発明を実施するための最良の形態】
【００１６】
（実施の形態１）
以下、本発明の実施の形態１について、図１を用いて説明する。図１は、高周波受信装置３１のブロック図である。本発明の実施の形態では一実施例として、デジタル方式のテレビ放送信号を受信する高周波受信装置３１について説明する。
【００１７】
この高周波受信装置３１は、チューナ受信部３３と、このチューナ受信部３３の出力が接続されたデコーダ部３４と、このデコーダ部３４の出力である映像、音声等を楽しむことができる表示部３６と、チューナ受信部３３、デコーダ部３４、表示部３６を制御するシステム制御部３８と、チューナ受信部３３とシステム制御部３８との間に挿入されるとともに受信品質信号を検出する受信品質検出部４０とから構成されている。
【００１８】
以下、チューナ受信部３３の構成について説明する。このチューナ受信部３３には、アンテナ４２の接続された入力端子３３ａと、復調信号が出力される第１の出力端子３３ｂが設けられている。
【００１９】
入力端子３３ａと第１の出力端子３３ｂの間には、入力端子３３ａ側から順に、受信周波数域を通過させるフィルタ４４と、利得制御入力４６ａにより利得制御の可能な増幅器４６と、増幅器４６の出力が一方の入力に供給される混合器４８と、周波数変換された出力信号を通過させるとともに希望信号以外の妨害信号を抑圧するフィルタ４９と、利得制御入力５０ａにより利得制御の可能な増幅器５０と、復調された信号を出力する復調部５２が接続されている。
【００２０】
また、混合器４８の他方の入力には、発振器５４の出力が接続されている。この発振器５４には、ＰＬＬ回路５６から出力される制御電圧が供給されている。このＰＬＬ回路５６の入力には、入力端子３３ｃから入力される制御データが供給されており、この制御データにより、発振周波数を可変できる。
【００２１】
さらに、混合器４８の出力信号は、第１の利得制御電圧（第１のＡＧＣ電圧）を出力する利得制御器５８に入力される。この第１のＡＧＣ電圧は、増幅器４６の利得制御入力４６ａと出力端子３３ｄに接続されている。なお、利得制御器５８への入力は、フィルタ４９の出力信号を用いてもよい。これにより、妨害信号の影響を小さくできる。
【００２２】
また、復調部５２は、入力から第１の出力端子３３ｂに向かって順に、アナログ信号をデジタル信号に変換するＡ／Ｄコンバータ５２ａ、妨害信号を抑圧するデジタルフィルタ５２ｂ、復調信号を出力する復調器５２ｃが接続されている。
【００２３】
このデジタルフィルタ５２ｂの出力信号は、利得制御器６０に供給されている。この利得制御器６０から出力される第２の利得制御電圧（第２のＡＧＣ電圧）は、増幅器５０の利得制御入力５０ａ、および出力端子３３ｅに接続されている。
【００２４】
そして、チューナ受信部３３の第１の出力端子３３ｂから出力される復調信号は、デコーダ部３４により復号化される。この復号化された映像、音声信号は、表示部３６により視聴できる。
【００２５】
また、システム制御部３８は、チューナ受信部３３、デコーダ部３４、表示部３６、受信品質検出部４０をそれぞれ制御している。
【００２６】
次に、受信品質検出部４０の構成について説明する。この受信品質検出部４０は、妨害信号判定器６１と、希望信号検出器６２とが設けられている。
【００２７】
この妨害信号判定器６１には、出力端子３３ｄ、３３ｅをそれぞれ介して第１、第２のＡＧＣ電圧がそれぞれ入力される。また、希望信号検出器６２には、出力端子３３ｄ、３３ｅをそれぞれ介して第１、第２のＡＧＣ電圧および妨害信号判定器６１からの妨害判定信号がそれぞれ入力され、出力端子４０ａから受信品質信号が出力される。
【００２８】
以上のように構成された高周波受信装置３１のチューナ受信部３３の動作について説明する。
【００２９】
なお、増幅器４６の利得制御範囲は、例えば０〜−５０ｄＢｍ（入力端子３３ａでの値）としている。増幅器５０の利得制御範囲は、例えば−５０ｄＢｍ〜−１００ｄＢｍ（入力端子３３ａでの値）として、以下説明する。
【００３０】
これら利得制御範囲は、増幅器４６、５０、混合器４８等の利得、雑音指数、および歪特性に応じて最適な範囲に変えることができる。
【００３１】
図１において、アンテナ４２からの受信信号は、入力端子３３ａを介してフィルタ４４に入力される。このフィルタ４４では、受信周波数域以外の信号が抑圧される。このフィルタ４４の出力信号は、増幅器４６により利得制御された後、混合器４８の一方の入力に供給される。この混合器４８の他方の入力にはＰＬＬ回路５６で制御された発振器５４の発振信号が供給されている。
【００３２】
このＰＬＬ回路５６の入力には、システム制御部３８からの制御信号が入力端子３３ｃを介して入力される。このＰＬＬ回路５６から出力される制御電圧により発振器５４の発振周波数が制御され、混合器４８において受信信号の中の希望信号が選局される。
【００３３】
この混合器４８の出力信号は、例えば８ＭＨｚの中間周波数となる希望信号が出力される。この中間周波信号は、フィルタ４９に入力される。このフィルタ４９では、固定のＢＰＦ（バンドパスフィルタ）として例えばＳＡＷフィルタを用いることができるので、近接した妨害信号を十分に抑圧できる。
【００３４】
あるいは、混合器４８の出力信号は、例えば４２９ｋＨｚの帯域幅を有する１セグメント受信のために５００ｋＨｚの中間周波数とできる。この中間周波数の信号は、妨害信号が抑圧されるフィルタ４９として例えばＬＰＦ（ローパスフィルタ）を用いて近接した妨害信号を十分に抑圧できる。
【００３５】
このようにして、フィルタ４９から出力される希望信号は、増幅器５０で利得制御されたのち、復調部５２に入力される。この復調部５２への入力信号は、最初にＡ／Ｄコンバータ５２ａによりアナログ信号がデジタル信号に変換され、さらにデジタルフィルタ５２ｂにより妨害信号が十分に抑圧され、さらに復調器５２ｃにより復調される。
【００３６】
次に、利得制御器５８、６０の動作について説明する。利得制御器５８は、混合器４８の出力信号が一定レベルになるように増幅器４６を利得制御する。また、利得制御器６０は、復調器５２ｃへの入力信号レベルが一定になるように増幅器５０を利得制御する。
【００３７】
このように、入力端子３３ａに入力された受信信号は、増幅器４６、５０において利得制御が行われるとともに、混合器４８により周波数変換され、フィルタ４４、４９およびデジタルフィルタ５２ｂにより妨害信号が十分に抑圧される。そして、第１の出力端子３３ｂからは、歪がなくノイズの小さい復調信号が出力されることになる。
【００３８】
次に、受信品質信号を検出できる希望信号検出器６２における具体的な動作を以下説明する。
【００３９】
最初に、希望信号だけが入力される場合の希望信号検出器６２の動作について、図２（ａ）、（ｂ）、（ｃ）を用いて説明する。
【００４０】
図２（ａ）は、希望信号レベルに対する増幅器４６の第１のＡＧＣ電圧１０１の特性図である。すなわち、この第１のＡＧＣ電圧１０１は、入力端子３３ａにおける入力信号レベル１０２に対する電圧１０３で表すことができる。
【００４１】
なお、レベル１０２ａが略−１００ｄＢｍ、レベル１０２ｂを略−５０ｄＢｍとし、レベル１０２ｃを略０ｄＢｍとしている。また、第１のＡＧＣ電圧１０１は最小利得である上限電圧１０３ａと、最大利得である下限電圧１０３ｂを有している。
【００４２】
図２（ａ）において、第１のＡＧＣ電圧１０１は、ＡＧＣ電圧１０１ａとＡＧＣ電圧１０１ｂとからなっている。
【００４３】
このＡＧＣ電圧１０１ａは、レベル１０２ａ（−１００ｄＢｍ）〜レベル１０２ｂ（−５０ｄＢｍ）の弱い希望信号の入力レベルに対するＡＧＣ電圧であり、増幅器４６を最大利得とし、混合器４８への入力レベルを下げないように働く。
【００４４】
この最大利得に対して、最大利得制御範囲Ａを設けている。この最大利得制御範囲Ａとは、下限電圧１０３ｂと、この下限電圧１０３ｂに近接して設けられた最大利得判定電圧１０３ｇとの間の領域である。この最大利得制御範囲Ａにより、第１のＡＧＣ電圧１０１が最大利得の状態かどうかを判定することができる。
【００４５】
また、ＡＧＣ電圧１０１ｂは、レベル１０２ｂ（−５０ｄＢｍ）〜レベル１０２ｃ（０ｄＢｍ）の強い希望信号が入力された場合のＡＧＣ電圧であり、混合器４８の出力レベルを一定レベルに制御する。
【００４６】
図２（ｂ）は、希望信号に対する第２のＡＧＣ電圧１１１の特性図である。この第２のＡＧＣ電圧１１１は、ＡＧＣ電圧１１１ａとＡＧＣ電圧１１１ｂからなっている。
【００４７】
なお、上限電圧１０３ｃ、下限電圧１０３ｄは、第２のＡＧＣ電圧１１１の上限電圧、下限電圧をそれぞれ表している。また、最小利得制御範囲Ｂは、上限電圧１０３ｃと、この上限電圧１０３ｃに近接して設けられた最小利得判定電圧１０３ｈとの間の領域である。この最小利得制御範囲Ｂにより、第２のＡＧＣ電圧１１１が最小利得の状態かどうかを判定することができる。
【００４８】
ＡＧＣ電圧１１１ａは、レベル１０２ａ（−１００ｄＢｍ）〜レベル１０２ｂ（−５０ｄＢｍ）の希望信号が入力された場合のＡＧＣ電圧であり、このＡＧＣ電圧１１１ａにより、増幅器４６は最大利得とされ、復調部５２への入力レベルを下げないように働く。
【００４９】
ＡＧＣ電圧１１１ｂは、レベル１０２ｂ（−５０ｄＢｍ）〜レベル１０２ｃ（０ｄＢｍ）の希望信号が入力された場合のＡＧＣ電圧である。このＡＧＣ電圧１１１ｂにより、増幅器５０は最小利得とされ、復調部５２への入力レベルを一定レベルに制御する。
【００５０】
図２（ｃ）は、第１のＡＧＣ電圧１０１と第２のＡＧＣ電圧１１１とを合成した第３のＡＧＣ電圧１２１の特性図である。この第３のＡＧＣ電圧１２１は、ＡＧＣ電圧１２１ａとＡＧＣ電圧１２１ｂとからなっている。なお、電圧１０３ｅ、１０３ｆは、第３のＡＧＣ電圧１２１の上限値、下限値をそれぞれ表している。
【００５１】
図２（ｃ）において、ＡＧＣ電圧１２１ａは、レベル１０２ａ（−１００ｄＢｍ）〜レベル１０２ｂ（−５０ｄＢｍ）におけるＡＧＣ電圧を示している。また、ＡＧＣ電圧１２１ｂは、レベル１０２ｂ（−５０ｄＢｍ）〜レベル１０２ｃ（０ｄＢｍ）におけるＡＧＣ電圧を示している。
【００５２】
このようにして、希望信号レベルは、図２（ｂ）のＡＧＣ電圧１１１ａと、図１（ａ）のＡＧＣ電圧１０１ｂとが合成された第３のＡＧＣ電圧１２１により表される。つまり、希望信号検出器６２では、ＡＧＣ電圧１１１ａ、１０１ｂを合成することにより希望信号レベルを検出することができる。
【００５３】
次に、希望信号と、この希望信号より２５ｄＢ大きな妨害信号からなる受信信号が入力される場合の希望信号検出器６２の動作について図３（ａ）、（ｂ）、（ｃ）により説明する。
【００５４】
図３（ａ）は、受信信号レベルに対する増幅器４６の第１のＡＧＣ電圧２０１の特性図である。この第１のＡＧＣ電圧２０１は、ＡＧＣ電圧２０１ａとＡＧＣ電圧２０１ｂ、およびＡＧＣ電圧２０１ｃとからなっている。
【００５５】
ＡＧＣ電圧２０１ａは、レベル１０２ａ（−１００ｄＢｍ）〜レベル１０２ｄ（−７５ｄＢｍ）の比較的弱い受信信号が入力される場合のＡＧＣ電圧である。この場合、妨害信号も−５０ｄＢｍ以下となり増幅器４６の利得制御に影響を与えることがないので、増幅器４６は最大利得とされる。
【００５６】
ＡＧＣ電圧２０１ｂは、レベル１０２ｄ（−７５ｄＢｍ）〜レベル１０２ｅ（−２５ｄＢｍ）の希望信号が入力される場合のＡＧＣ電圧である。この場合、妨害信号は−５０ｄＢｍ以上となるので、この妨害信号により増幅器４６は利得制御が行われる。
【００５７】
ＡＧＣ電圧２０１ｃは、レベル１０２ｅ（−２５ｄＢｍ）〜レベル１０２ｃ（０ｄＢｍ）の希望信号が入力される場合のＡＧＣ電圧である。この場合、妨害信号が０ｄＢｍ以上となるので、増幅器４６は最小利得とされる。
【００５８】
図３（ｂ）は、受信信号に対する増幅器５０の第２のＡＧＣ電圧２１１の特性図である。この第２のＡＧＣ電圧２１１は、ＡＧＣ電圧２１１ａ、ＡＧＣ電圧２１１ｂ、およびＡＧＣ電圧２１１ｃとからなっている。
【００５９】
ＡＧＣ電圧２１１ａは、レベル１０２ａ（−１００ｄＢｍ）〜レベル１０２ｄ（−７５ｄＢｍ）の比較的弱い希望信号が入力される場合のＡＧＣ電圧である。この場合、妨害信号は−５０ｄＢｍ以下となって増幅器４６の利得制御に影響を与えることがないので、増幅器４６は最大利得である最大利得制御範囲Ａとなる。
【００６０】
この増幅器４６から出力される信号は、フィルタ４９を介して増幅器５０に入力される。この増幅器５０に入力される信号は、妨害信号がフィルタ４９により抑圧されるので、希望信号のみとなる。このため、ＡＧＣ電圧２１１ａは、レベル１０２ａ（−１００ｄＢｍ）〜レベル１０２ｄ（−７５ｄＢｍ）の希望信号レベルに応じた利得制御が行われる。
【００６１】
次に、ＡＧＣ電圧２１１ｂは、レベル１０２ｄ（−７５ｄＢｍ）〜レベル１０２ｅ（−２５ｄＢｍ）の希望信号が入力される場合のＡＧＣ電圧であるが、妨害信号は−５０ｄＢｍ以上となるので、この妨害信号により増幅器４６は利得制御が行われる。このため、妨害信号とともに希望信号も増幅器４６により利得制御される。この希望信号が入力される増幅器５０のＡＧＣ電圧２１１ｂは、一定レベルとなる。
【００６２】
さらに、ＡＧＣ電圧２１１ｃは、レベル１０２ｅ（−２５ｄＢｍ）〜レベル１０２ｃ（０ｄＢｍ）の希望信号が入力される場合のＡＧＣ電圧である。この場合、妨害信号が０ｄＢｍ以上となるので、増幅器４６は最も利得制御された状態となる。
【００６３】
図３（ｃ）は、希望信号に対する第３のＡＧＣ電圧２２１の特性図である。なお、電圧１０３ｅ、１０３ｆは、第３のＡＧＣ電圧２２１の上限値、下限値をそれぞれ表している。
【００６４】
この第３のＡＧＣ電圧２２１は、ＡＧＣ電圧２２１ａとＡＧＣ電圧２２１ｂとＡＧＣ電圧２２１ｃとからなっている。
【００６５】
ＡＧＣ電圧２２１ａは、レベル１０２ａ（−１００ｄＢｍ）〜レベル１０２ｄ（−７５ｄＢｍ）におけるＡＧＣ電圧を示している。ＡＧＣ電圧２２１ｂは、レベル１０２ｄ（−７５ｄＢｍ）より大きいレベルにおけるＡＧＣ電圧を示している。この場合、妨害信号は−５０ｄＢｍ以下となるので、ＡＧＣ電圧２０１ａは最大利得制御範囲Ａとなり、ＡＧＣ電圧２１１ａは利得制御の状態となり、妨害信号による影響はない。
【００６６】
ＡＧＣ電圧２２１ｂおよび２２１ｃは、レベル１０２ｄ（−７５ｄＢｍ）〜レベル１０２ｃ（０ｄＢｍ）におけるＡＧＣ電圧である。この場合、増幅器４６の利得制御は、−５０ｄＢｍ以上の妨害信号が入力されるので、ＡＧＣ電圧２０１ｂ、２０１ｃとなる。
【００６７】
この増幅器４６から出力される小さな希望信号とフィルタ４９により十分に抑圧された妨害信号が増幅器５０に供給される。すなわち、この増幅器５０を制御するＡＧＣ電圧２１１ｂは、増幅器５０に供給される希望信号レベルを検出することができる。
【００６８】
従って、ＡＧＣ電圧２２１ｂは、ＡＧＣ電圧２０１ｂを用いず、ＡＧＣ電圧２１１ｂのみの信号とする。このＡＧＣ電圧２２１ｂを妨害判定信号として用いることにより、妨害信号による影響を受けないで、希望信号レベルを検出することができる。
【００６９】
このようにして、希望信号と、この希望信号より２５ｄＢ大きな妨害信号がともに入力される場合の希望信号レベルは、図３（ｃ）の第３のＡＧＣ電圧２２１により検出することができる。
【００７０】
なお、第３のＡＧＣ電圧２３１は、第１のＡＧＣ電圧２０１と第２のＡＧＣ電圧２１１を単純に合成したものである。この第３のＡＧＣ電圧２３１は、レベル１０２ｄ（−７５ｄＢｍ）〜レベル１０２ｃ（０ｄＢｍ）において、妨害信号レベルの影響により電圧が大きくなっている。
【００７１】
次に、希望信号と、この希望信号より５０ｄＢ大きな妨害信号からなる受信信号が入力される場合の希望信号検出器６２の動作について図４（ａ）、（ｂ）、（ｃ）により説明する。
【００７２】
図４（ａ）は、受信信号レベルに対する増幅器４６の第１のＡＧＣ電圧３０１の特性図である。この第１のＡＧＣ電圧３０１は、ＡＧＣ電圧３０１ａとＡＧＣ電圧３０１ｂからなっている。
【００７３】
ＡＧＣ電圧３０１ａは、レベル１０２ａ（−１００ｄＢｍ）〜レベル１０２ｂ（−５０ｄＢｍ）の受信信号が入力される場合のＡＧＣ電圧である。この場合、増幅器４６は−５０ｄＢｍ以上の妨害信号により利得制御される。
【００７４】
ＡＧＣ電圧３０１ｂは、レベル１０２ｂ（−５０ｄＢｍ）〜レベル１０２ｃ（０ｄＢｍ）の受信信号が入力される場合のＡＧＣ電圧である。この場合、増幅器４６は０ｄＢｍ以上の妨害信号により最小利得の状態とされる。
【００７５】
図４（ｂ）は、受信信号に対する増幅器５０の第２のＡＧＣ電圧３１１の特性図である。この第２のＡＧＣ電圧３１１は、ＡＧＣ電圧３１１ａ、ＡＧＣ電圧３１１ｂからなっている。
【００７６】
このＡＧＣ電圧３１１ａ、３１１ｂは、レベル１０２ａ（−１００ｄＢｍ）〜レベル１０２ｃ（０ｄＢｍ）の希望信号が入力される場合のＡＧＣ電圧であるが、増幅器４６が−５０ｄＢｍ以上の妨害信号により最小利得とされている。このため、増幅器５０のＡＧＣ電圧３１１ｂは、最大利得とされる。
【００７７】
図４（ｃ）は、受信信号に対する第３のＡＧＣ電圧３２１の特性図である。なお、電圧１０３ｅ、１０３ｆは、第３のＡＧＣ電圧３２１の上限値、下限値をそれぞれ表している。
【００７８】
この第３のＡＧＣ電圧３２１は、ＡＧＣ電圧３２１ａとＡＧＣ電圧３２１ｂからなっている。
【００７９】
このＡＧＣ電圧３２１ａは、レベル１０２ａ（−１００ｄＢｍ）〜レベル１０２ｂ（−５０ｄＢｍ）におけるＡＧＣ電圧である。この場合、増幅器４６は、−５０ｄＢｍ以上の妨害信号が入力されるので、ＡＧＣ電圧３０１ａにより利得制御される。このため、増幅器４６から出力される小さな希望信号とフィルタ４９により十分に抑圧された妨害信号が増幅器５０に供給される。この小さな希望信号レベルは、増幅器５０を制御するＡＧＣ電圧３１１ａにより検出することができる。
【００８０】
また、ＡＧＣ電圧３２１ｂは、レベル１０２ｂ（−５０ｄＢｍ）〜レベル１０２ｃ（０ｄＢｍ）におけるＡＧＣ電圧である。この場合においても、ＡＧＣ電圧３２１ａと同様に、小さな希望信号レベルは、増幅器５０を制御するＡＧＣ電圧３１１ｂにより検出することができる。
【００８１】
従って、第３のＡＧＣ電圧３２１を用いることにより、妨害信号による影響を受けないで、希望信号レベルを検出することができる。
【００８２】
このようにして、希望信号と、この希望信号より５０ｄＢ大きな妨害信号がともに入力される場合の希望信号レベルは、図４（ｃ）の第３のＡＧＣ電圧３２１により検出することができる。
【００８３】
なお、第３のＡＧＣ電圧３３１は、第１のＡＧＣ電圧３０１と第２のＡＧＣ電圧３１１を合成したものである。この第３のＡＧＣ電圧３３１は、レベル１０２ａ（−１００ｄＢｍ）〜レベル１０２ｃ（０ｄＢｍ）において、妨害信号レベルの影響により電圧が大きくなっている。
【００８４】
このようにして、第３のＡＧＣ電圧１２１、２２１、３２１を用いることにより、希望信号レベルを検出することができる。なお、この場合、第３のＡＧＣ電圧２２１の代わりに第３のＡＧＣ電圧２１１を用いることができる。また、第３のＡＧＣ電圧３２１の代わりに第２のＡＧＣ電圧３１１を用いることができる。
【００８５】
次に、希望信号だけが入力された場合の希望信号レベルＶD1は、増幅器５０における利得制御量ＶIFGRと、増幅器４６における利得制御量ＶRFGRを用いて、（数１）のように表すことができる。
【００８６】
【数１】
2009135863.tif 000003
【００８７】
さらに例えば、受信信号として、希望信号とともにこの希望信号より２５ｄＢ大きな妨害信号が入力される場合、希望信号レベルＶD2は、増幅器５０における利得制御量ＶIFGRを用いて、（数２）のように表すことができる。
【００８８】
【数２】
2009135863.tif 000004
【００８９】
このようにして、希望信号検出器６２では、希望信号のみの場合にはＡＧＣ電圧１１１ａ、１０１ｂを用い、希望信号とともに大きな妨害信号がある場合には第２のＡＧＣ電圧２１１あるいは３１１を用いることにより、希望信号レベルを検出できる。
【００９０】
ここで、希望信号のみか、大きな妨害信号があるかどうかを検出する必要がある。このための妨害信号判定器６１について以下説明する。
【００９１】
例えば、希望信号だけが入力される場合、第１のＡＧＣ電圧１０１が最大利得制御範囲Ａの範囲内になるか、第２のＡＧＣ電圧１１１が最小利得制御範囲Ｂの範囲内になるか、のいずれかとなる。
【００９２】
ところが、希望信号に対して妨害信号レベルが大きくなると、この妨害信号により、第１のＡＧＣ電圧２０１では利得制御される、あるいは最小利得とされる。このため、第２のＡＧＣ電圧２１１は、利得制御される、あるいは最大利得とされる。この第１のＡＧＣ電圧２０１、第２のＡＧＣ電圧２１１の動作は、第１のＡＧＣ電圧３０１、第２のＡＧＣ電圧３１１についても同様である。
【００９３】
例えば、希望信号と、この希望信号より２５ｄＢ大きな妨害信号がともに入力される場合の妨害信号判定器６１の動作を図３（ａ）、（ｂ）により説明する。
【００９４】
レベル１０２ａ（−１００ｄＢｍ）〜レベル１０２ｄ（−７５ｄＢｍ）では、妨害信号によるＡＧＣ電圧２０１ａへの影響がない。従って、希望信号だけの場合と同じ判定とできる。この場合、ＡＧＣ電圧２０１ａは最大利得制御範囲Ａの範囲内にある。
【００９５】
レベル１０２ｄ（−７５ｄＢｍ）〜レベル１０２ｃ（０ｄＢｍ）では、妨害信号によるＡＧＣ電圧２０１ｂへの影響がある。この場合、ＡＧＣ電圧２０１ｂ、２０１ｃは、ともに最大利得制御範囲Ａを満たしていない。また、ＡＧＣ電圧２１１ｂ、２１１ｃは、ともに最小利得制御範囲Ｂを満たしていない。
【００９６】
次に、希望信号と、この希望信号より５０ｄＢ大きな妨害信号がともに入力される場合の妨害信号判定器６１の動作を図４（ａ）、（ｂ）により説明する。
【００９７】
レベル１０２ａ（−１００ｄＢｍ）〜レベル１０２ｃ（０ｄＢｍ）では、妨害信号によるＡＧＣ電圧３０１ａ、３０１ｂへの影響がある。この場合、ＡＧＣ電圧３０１ａ、３０１ｂ、３１１ａ、３１１ｂは、ともに最大利得制御範囲Ａを満たしていない。また、ＡＧＣ電圧３１１ａ、３１１ｂは、ともに最小利得制御範囲Ｂを満たしていない。
【００９８】
このようにして、妨害信号判定器６１は、第１のＡＧＣ電圧１０１、２０１、３０１を最大利得制御範囲Ａの範囲内かどうか、および第２のＡＧＣ電圧１１１、２１１、３１１を最小利得制御範囲Ｂの範囲内かどうかにより、妨害信号による受信品質への影響度を判定できる。
【００９９】
なお、最大利得制御範囲Ａ、最小利得制御範囲Ｂの領域は、最大利得判定電圧１０３ｇ、最小利得判定電圧１０３ｈにより決定される。また、希望信号レベルに対して妨害信号レベルが大きくなればなる程、第１のＡＧＣ電圧２０１、３０１は最大利得制御範囲Ａから離れ、また第２のＡＧＣ電圧２１１、３１１は最小利得制御範囲Ｂから離れていく。
【０１００】
つまり、最大利得判定電圧１０３ｇ、最小利得判定電圧１０３ｈを可変することにより、妨害信号による希望信号レベルへの寄与度を可変できる。この寄与度を制御するために、システム制御部３８から妨害信号判定器６１に設けられた入力制御端子６１ａに対して制御データを入力することができる。
【０１０１】
図５は、高周波受信装置３１の受信品質検出部４０を用いた希望信号レベルを検出するフローチャートである。
【０１０２】
図５において、受信ステップ４０１により、受信信号を受信する。妨害信号判定ステップ４０３では、増幅器４６のＡＧＣ電圧、増幅器５０のＡＧＣ電圧を用いて妨害信号判定器６１により妨害信号によるＡＧＣ電圧への影響度を判定する。
【０１０３】
この判定結果として、希望信号のみあるいは妨害信号の影響度が小さい受信条件Ａであれば希望信号検出ステップ４０５に移行して希望信号検出器６２により希望信号レベルを検出する。さらに、表示ステップ４０９により、希望信号レベルを画面に表示し、その後に妨害信号判定ステップ４０３に戻る。
【０１０４】
一方、希望信号より大きな妨害信号が存在する受信条件Ｂであれば希望信号検出ステップ４０７に移行し、希望信号検出器６２により希望信号レベルを検出する。さらに、表示ステップ４０９により、希望信号レベルを画面に表示し、その後に妨害信号判定ステップ４０３に戻る。
【０１０５】
以上のように、妨害信号判定器６１では、増幅器４６、５０のそれぞれのＡＧＣ電圧により、妨害信号によるＡＧＣ電圧での影響度を検出することができ、さらに、希望信号検出器６２では、妨害信号のレベルに応じて変化する妨害信号判定器６１から出力される妨害判定信号を用いて、（数１）、あるいは（数２）を選択し、増幅器５０に入力される希望信号レベルを検出することができる。
【０１０６】
この希望信号レベルは、増幅器５０を介して復調部５２に供給される。つまり、増幅器５０に入力される希望信号レベルが大きくなれば、増幅器５０の雑音指数を小さくできるので、チューナ受信部３３の受信品質をよくできる。
【０１０７】
つまり、増幅器５０に入力される希望信号レベルが大きくなると、受信品質が良化できることになる。反対に、増幅器５０に入力される希望信号レベルが小さくなると、受信品質が悪くなる。
【０１０８】
なお、この受信品質信号の検出は、すべて第１、第２のＡＧＣ電圧を用いて行うので、瞬時に検出することが可能となる。このため、刻々と受信状況が変化する高速移動中であっても、受信条件の画面への表示をスムーズに行うことができる。
【０１０９】
また、受信品質検出部４０は、システム制御部３８の中に設けてもよい。この場合、受信品質検出部４０での処理信号は低周波であるので、システム制御部３８の中に集積しやすく、小型化形状の高周波受信装置３１を実現できる。
【０１１０】
さらに、利得制御器５８、６０と受信品質検出部４０との間に電圧をデジタルに変換するＤＡ変換器（デジタルアナログ変換器）を挿入し（図示せず）、このＤＡ変換器から出力されるデジタル値をＩ２Ｃバスラインにより信号処理をしてもよい。この場合、共通のＩ２Ｃバスラインにより信号処理が可能となるので、配線が簡単になる。
【０１１１】
さらになお、チューナ受信部３３では、混合器４８をシングルスーパとして用いたが、ダイレクトコンバージョンとして用いても、同様である。すなわち、混合器４８をＩ、Ｑ信号用の２つの混合器とし、これらＩ、Ｑ信号用の混合器の他方の入力には、発振器５４からの発振信号を互いに９０度の位相差を持たせてそれぞれ入力する。このように、ダイレクトコンバージョンとした場合には、ダイレクトコンバージョン以降の周波数が、Ｉ、Ｑ信号の低周波信号となる。つまり、低周波での信号処理となるので、集積回路化が容易となる。また、他の信号との干渉が発生しにくい。
【０１１２】
なお、チューナ受信部３３では、混合器４８をシングルスーパとして用いたが、イメージリジェクションミキサとして用いても、同様である。すなわち、混合器４８を混合器４８ａ、４８ｂとし、これら混合器４８ａ、４８ｂの他方の入力には、発振器５４からの発振信号を互いに９０度の位相差を持たせてそれぞれ入力する。さらに、混合器４８ａ、４８ｂの出力を例えばポリフェーズフィルタで合成する。これにより、イメージ信号による妨害を改善でき、混合器４８のフィルタ４９を簡素化できる。
【０１１３】
また、本実施の形態では、混合器４８を用いて信号処理を行っているが、混合器７０（図示せず）をフィルタ４９と増幅器５０の間に挿入して用いてもよい。この場合、混合器４８からは第１の中間周波信号が出力され、さらにこの第１の中間周波信号が混合器７０に入力される。
【０１１４】
これにより、混合器４８からは単一周波数である第１の中間周波信号を出力できる。この第１の中間周波信号を混合器７０に入力できるので、例えば混合器７０をダイレクトコンバージョンとすれば、精度のよいＩＱ信号を出力できる。
【０１１５】
さらに、本発明の実施の形態では、一例としてデジタル方式のテレビ放送信号を受信する場合について説明したが、アナログ方式のテレビ放送信号を受信する場合においても同様の効果が得られる。
【０１１６】
さらになお、このようなチューナ受信部３３を用いることにより、妨害信号の有無に関わらず、受信品質信号を検出して画面に表示することができる高周波受信装置３１を実現できる。
【０１１７】
なお、利得制御器６０の入力は、デジタルフィルタ５２ｂの出力を接続する代わりに、復調部５２への入力信号を継続してもよい。この場合、妨害信号を主にフィルタ４９により抑圧されることになるが、このフィルタ４９では、隣接妨害信号あるいは隣々接妨害信号以外の妨害信号を十分に抑圧できる。従って、増幅器５０に入力される希望信号レベルを検出することができる。つまり、受信品質信号を検出して画面に表示することができる高周波受信装置３１を実現できる。
【０１１８】
さらに、入力端子３３ａと増幅器４６の間に損失を可変できる減衰器４６ｂ（図示せず）を挿入し、この減衰器４６ｂに設けられた利得制御用の利得制御入力４６ｃ（図示せず）に利得制御器５８から出力される第１のＡＧＣ電圧を入力してもよい。
【０１１９】
これにより、第１のＡＧＣ電圧による総合の利得制御量は大きくなるが、受信品質検出部４０による受信品質信号の検出は可能である。
【産業上の利用可能性】
【０１２０】
本発明に関わる高周波受信装置では、妨害信号の有無に関わらず、受信品質信号を検出して画面に表示することができる。特に、ＡＧＣ電圧を用いて受信条件を検出するので、移動受信用の高周波受信装置等に最適である。
【図面の簡単な説明】
【０１２１】
【図１】本発明の実施の形態１における高周波受信装置のブロック図
【図２】（ａ）同、希望信号に対する第１のＡＧＣ電圧を表す図、（ｂ）同、希望信号に対する第２のＡＧＣ電圧を表す図、（ｃ）同、第１、第２のＡＧＣ電圧を合成したＡＧＣ電圧を表す図
【図３】（ａ）同、希望信号、妨害信号に対する第１のＡＧＣ電圧を表す図、（ｂ）同、希望信号、妨害信号に対する第２のＡＧＣ電圧を表す図、（ｃ）同、第１、第２のＡＧＣ電圧を合成したＡＧＣ電圧を表す図
【図４】（ａ）同、希望信号、妨害信号に対する第１のＡＧＣ電圧を表す図、（ｂ）同、希望信号、妨害信号に対する第２のＡＧＣ電圧を表す図、（ｃ）同、第１、第２のＡＧＣ電圧を合成したＡＧＣ電圧を表す図
【図５】同、受信品質検出部の動作のフローチャート
【図６】従来例における高周波受信装置のブロック図
【符号の説明】
【０１２２】
３３ｂ  第１の出力端子
４０  受信品質検出部
４０ａ  第２の出力端子
４６  増幅器
４８  混合器
４９  フィルタ
５０  増幅器
５２  復調部
５４  発振器
５８  利得制御器
６０  利得制御器
【図１】
2009135863.tif 000005
【図２】
2009135863.tif 000006
【図３】
2009135863.tif 000007
【図４】
2009135863.tif 000008
【図５】
2009135863.tif 000009
【図６】
2009135863.tif 000010